(57)【特許請求の範囲】
【請求項１】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成し、
前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、
前記給湯接続ユニットから送出される温水を前記給湯器が加熱することによって給湯設定温度の温水を生成している状態で、前記蓄熱槽から給湯設定温度以上の温水が前記給湯接続ユニットに送出されるようになった時点で、前記給湯器の加熱を停止させ、
前記給湯器における熱交換器の温度が所定温度を下回った時点で、前記給湯接続ユニットが給湯設定温度の温水を前記給湯器に送出するようにしたことを特徴とする給湯システム。
【請求項２】
前記給湯接続ユニットは、前記蓄熱槽から送出される温水と上水とを任意に混合して前記給湯器に送出する、モータによって開閉駆動される混合調節弁を備えており、
前記混合調節弁は、全開状態で前記蓄熱槽からの温水のみを送出し、全閉状態で上水のみを送出するようになっており、
前記混合調節弁が通常の制御状態にある時は、前記混合調節弁が全開にならないように、前記モータによる前記混合調節弁の開方向の駆動範囲を制限するようにした請求項１に記載の給湯システム。
【請求項３】
前記給湯接続ユニットに所定温度以上の温水が送出されるときは、前記モータによる前記混合調節弁の開方向の駆動範囲の制限を解除するようにした請求項２に記載の給湯システム。
【請求項４】
給湯開始後所定時間が経過した時点で、前記モータによる前記混合調節弁の開方向の駆動範囲の制限を解除するようにした請求項２に記載の給湯システム。
【請求項５】
前記給湯接続ユニットに所定温度以上の温水が送出され始めた時点または給湯開始後所定時間が経過した時点のいずれか先の時点で、前記モータによる前記混合調節弁の開方向の駆動範囲の制限を解除するようにした請求項２に記載の給湯システム。
【発明の詳細な説明】
【０００１】
【発明の属する技術分野】
この発明は、太陽熱等の補助熱源によって生成された温水を蓄熱槽に貯留しておき、この温水を、上水と混合可能な給湯接続ユニットを介して、給湯器に送出するようにした給湯システムに関する。
【０００２】
【従来の技術】
補助熱源を利用した給湯システムとしては、例えば、太陽熱を利用して温水を生成する太陽熱利用温水器と給湯器とを組み合わせた給湯システムが従来から一般的に知られている。
【０００３】
こういった、給湯システムでは、太陽熱を利用して生成された温水を貯留する蓄熱槽を備えている太陽熱利用温水器と給湯器とが、給湯接続ユニットを介して接続されており、給湯時には、太陽熱利用温水器の蓄熱槽に貯留された温水が給湯接続ユニットを介して給湯器に送出されるが、給湯接続ユニットは、蓄熱槽に貯留された温水を単に給湯器に送出するだけではなく、必要に応じて、蓄熱槽から送出される温水に上水を混合した状態で、給湯器に送出することができるように構成されている。
【０００４】
従って、給湯器に対して設定された給湯設定温度以上の温水が蓄熱槽に貯留されている場合は、給湯接続ユニットが、蓄熱槽から送出される給湯設定温度以上の温水と上水とを適宜混合することによって給湯設定温度の温水を生成し、これを給湯器に送出する。一方、給湯設定温度以上の温水が蓄熱槽に貯留されていない場合は、給湯接続ユニットが、蓄熱槽から送出される給湯設定温度を下回る温水を、上水と適宜混合することによって、強制的に所定温度まで下げた状態で給湯器に送出し、給湯器のバーナーを燃焼させることによって給湯設定温度の温水を生成することになる。
【０００５】
また、この給湯システムでは、給湯器のバーナーを燃焼させることによって給湯設定温度の温水を供給している状態、即ち、給湯接続ユニットが給湯設定温度以下の所定温度の温水を給湯器に送出している状態で、給湯設定温度以上の温水が蓄熱槽から給湯接続ユニットに送出されると、その時点で、給湯接続ユニットが給湯器に燃焼停止指令を出力すると共に給湯設定温度の温水を給湯器に送出するようになっており、逆に、給湯器のバーナーを燃焼させることなく給湯設定温度の温水を供給している状態、即ち、給湯接続ユニットが給湯設定温度の温水を給湯器に送出している状態で、給湯設定温度より低い温水が蓄熱槽から給湯接続ユニットに送出されると、その時点で、給湯接続ユニットが給湯器に燃焼開始指令を出力すると共に所定温度まで下げた温水を給湯器に送出するようになっている。
【０００６】
【発明が解決しようとする課題】
ところで、給湯器は、バーナーの燃焼を停止しても、熱交換器の温度が即座に低下するわけではないので、上述したように、給湯接続ユニットが給湯設定温度以下の所定温度の温水を給湯器に送出している状態で、給湯設定温度以上の温水が蓄熱槽から給湯接続ユニットに送出された時点で、給湯器のバーナーの燃焼を停止させ、即座に給湯設定温度の温水を給湯器に送出すると、その給湯設定温度の温水が、温度が低下していない給湯器の熱交換器によってさらに加熱され、給湯温度が一時的に高くなるという問題がある。
【０００７】
そこで、この発明の課題は、給湯器のバーナーを燃焼させることによって給湯設定温度の温水を生成している運転状態から、給湯接続ユニットが給湯設定温度の温水を生成する運転状態に切り替える際にも、給湯設定温度の温水を継続して供給することのできる給湯システムを提供することにある。
【０００８】
【課題を解決するための手段及びその効果】
上記の課題を解決するため、請求項１に係る発明は、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、前記蓄熱槽から給湯設定温度以上の温水が前記給湯接続ユニットに送出される場合は、前記給湯接続ユニットが上水を混合することによって給湯設定温度の温水を生成し、前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、前記給湯接続ユニットから送出される温水を前記給湯器が加熱することによって給湯設定温度の温水を生成している状態で、前記蓄熱槽から給湯設定温度以上の温水が前記給湯接続ユニットに送出されるようになった時点で、前記給湯器の加熱を停止させ、前記給湯器における熱交換器の温度が所定温度を下回った時点で、前記給湯接続ユニットが給湯設定温度の温水を前記給湯器に送出するようにしたのである。
【０００９】
以上のように、この給湯システムでは、給湯器の加熱を停止させた後、給湯器の熱交換器の温度が所定温度を下回るまでは、給湯設定温度の温水を給湯器に送出しないようにしたので、給湯設定温度より極端に高い温水が給湯器から送出されることがなく、給湯器のバーナーを燃焼させることによって給湯設定温度の温水を生成している運転状態から、給湯接続ユニットが給湯設定温度の温水を生成する運転状態に切り替える際にも、略給湯設定温度の温水を継続して供給することが可能となる。
【００１０】
また、蓄熱槽と給湯接続ユニットとを接続する配管内に滞留している温水の温度が蓄熱槽に貯留されている温水の温度より大きく低下している状態で給湯を開始した場合、給湯開始当初は配管内に滞留していた温度の低い温水が給湯接続ユニットに送出されるため、給湯接続ユニットの混合調節弁は全開状態になっているが、配管内に滞留していた温度の低い温水が送出され終わって、蓄熱槽内に貯留されている温度の高い温水が送出されるようになると、混合調節弁は閉方向に絞ってくる。しかしながら、モータによる混合調節弁の開閉駆動速度が遅いために、給湯接続ユニットに送出される温水の急激な温度変化に追従できず、その間に温度の高い温水が必要以上に給湯接続ユニットに送出されることになるので、一時的に給湯温度が高くなってしまうという問題がある。
【００１１】
そこで、請求項２に係る発明は、前記給湯接続ユニットが、前記蓄熱槽から送出される温水と上水とを任意に混合して前記給湯器に送出する、モータによって開閉駆動される混合調節弁を備えており、前記混合調節弁は、全開状態で前記蓄熱槽からの温水のみを送出し、全閉状態で上水のみを送出するようになっており、前記混合調節弁が通常の制御状態にある時は、前記混合調節弁が全開にならないように、前記モータによる前記混合調節弁の開方向の駆動範囲を制限するようにした給湯システムを提供するものである。
【００１２】
以上のように構成された給湯システムでは、配管内に滞留していた温度の低い温水が給湯接続ユニットに送出される場合でも、混合調節弁が全開状態にはならないので、その後に、温度の高い温水が送出されるようになった時点で閉弁動作を行う際に、短時間で所定開度まで閉弁することができる。従って、給湯接続ユニットに送出される温水の急激な温度変化にもある程度追従することができ、混合調節弁が閉弁動作を行っている間に温度の高い温水が必要以上に給湯接続ユニットに送出されにくくなるので、給湯開始から安定した状態で給湯設定温度の温水を供給することができる。
【００１３】
特に、請求項３に係る発明の給湯システムのように、前記給湯接続ユニットに所定温度以上の温水が送出されるときは、前記モータによる前記混合調節弁の開方向の駆動範囲の制限を解除するようにしておくと、給湯開始からある程度の時間が経過し、蓄熱槽に貯留されている温度の高い温水が供給されるようになった時点では、蓄熱槽からの温水のみを給湯器に送出することができるので、蓄熱槽に貯留された温水を最大限に利用することができるという効果が得られる。
【００１４】
また、蓄熱槽に所定温度以上の温水が貯留されている場合は、給湯を開始した後ある程度の時間が経過すると、所定温度以上の温水が給湯接続ユニットに送出されることになるので、請求項４に係る発明の給湯システムのように、給湯開始後所定時間が経過した時点で、前記モータによる前記混合調節弁の開方向の駆動範囲の制限を解除するようにしてもよく、請求項５に係る発明の給湯システムのように、前記給湯接続ユニットに所定温度以上の温水が送出され始めた時点または給湯開始後所定時間が経過した時点のいずれか先の時点で、前記モータによる前記混合調節弁の開方向の駆動範囲の制限を解除するようにしてもよい。
【００１５】
【発明の実施の形態】
以下、実施の形態について図面を参照して説明する。図１は、補助熱源として太陽熱を利用した給湯システム１の概略構成を示している。この給湯システム１は、同図に示すように、太陽熱利用温水器１０と給湯器３０とが給湯接続ユニット２０を介して接続されたものであり、太陽熱利用温水器１０によって生成された温水が給湯接続ユニット２０を介して給湯器３０に送出されるようになっている。
【００１６】
前記太陽熱利用温水器１０は、ソーラー熱交換器１１と密閉式の蓄熱槽１４とを備えており、蓄熱槽１４には、その下端部に上水を供給するための給水管１５が接続されていると共に、上端部には貯留された温水を給湯接続ユニット２０に送出するための温水供給管１６が接続されている。
【００１７】
前記ソーラー熱交換器１１には、その入口側と出口側とを接続するソーラー配管１２によって熱媒体の循環経路が形成されており、このソーラー配管１２は、部分的に蓄熱槽１４内に導入された熱交換部１３を有している。従って、ソーラー熱交換器１１によって加熱された熱媒体は、ソーラー配管１２を通って蓄熱槽１４内に導かれ、熱交換部１３で蓄熱槽１４内の水と熱交換を行うことで、蓄熱槽１４内に温水が生成されるようになっている。
【００１８】
前記給湯接続ユニット２０は、同図に示すように、給水管２２を介して供給される上水と、蓄熱槽１４から温水供給管１６を介して供給される温水とを、必要に応じて混合する、ステッピングモータ２１ａによって開閉駆動される混合調節弁２１を備えており、蓄熱槽１４から送出された温水は、そのまま又は上水と適宜混合された状態で混合調節弁２１の出口側に接続された温水配管２３を介して給湯器３０に送出されるようになっている。
【００１９】
また、給水管２２と温水配管２３とは、通電時に全閉となるダイヤフラム方式の電磁弁２５が設置されたバイパス管２４を介して相互に接続されており、混合調節弁２１に接続された温水供給管１６及び温水配管２３には、蓄熱槽１４から送出される温水の温度（以下、入湯温度という。）Ｔｓを検出するための入湯温度センサ２６及び給湯接続ユニット２０から送出される温水の温度（以下、出湯温度という。）Ｔｏを検出するための出湯温度センサ２７が設置されている。
【００２０】
前記混合調節弁２１は、全開状態で、蓄熱槽１４から温水供給管１６を介して送出される温水のみを給湯器３０に送出し、逆に、全閉状態では、給水管２２を介して供給される上水のみを給湯器３０に送出するようになっており、混合調節弁２１を駆動しているステッピングモータ２１ａは、０ステップから１０５０ステップまで駆動することで、混合調節弁２１を全閉、全開させるようになっている。
【００２１】
ただし、混合調節弁２１が通常に制御されている給湯運転状態、即ち、出湯温度Ｔｏが所定温度になるように混合調節弁２１が制御されている給湯運転状態において、入湯温度Ｔｓが所定温度（例えば、４０℃）を下回るような場合は、混合調節弁２１が全開にならないように、ステッピングモータ２１ａによる混合調節弁２１の開方向の駆動範囲が制限されており、具体的には、０ステップ〜７００ステップの間で、ステッピングモータ２１ａが混合調節弁２１の開閉駆動を行うようになっている。
【００２２】
従って、混合調節弁２１が最大開度（７００ステップ）まで開弁した状態でも、温水供給管１６を介して混合調節弁２１に送出される温水のみを給湯器３０に送出することができず、上水が僅かに混合された状態で給湯器３０に送出されることになる。なお、この混合調節弁２１は、ステッピングモータ２１ａの駆動範囲の上限である７００ステップに相当する開度まで開弁した状態では、通常の上水圧の下で、温水と上水との混合比率が、温水：上水＝１０：１程度であり、ステッピングモータ２１ａが７００ステップから１０５０ステップまで駆動したとしても、温水と上水との混合比率がほとんど変化しないようになっている。
【００２３】
前記給湯器３０には、バーナーを燃焼させることによって、給湯接続ユニット２０から送出される温水を必要に応じて加熱する熱交換器３１が搭載されており、熱交換器３１の出口温水温度を、熱交換器３１自体の温度（以下、熱交換器温度という。）Ｔｃとして検出する熱交換器温度センサ３２と、熱交換器３１を通過する温水流量を検出する流量センサ３３とが設置されている。
【００２４】
前記給湯接続ユニット２０及び給湯器３０には、シリアルインターフェースを介して相互に通信可能なコントローラ２０ａ、３０ａがそれぞれ搭載されていると共に、給湯器３０の操作リモコン４０には、シリアルインターフェースを介して給湯器３０のコントローラ３０ａと相互に通信可能なコントローラ４０ａが搭載されており、これらのコントローラ２０ａ、３０ａ、４０ａが相互に連携をとりながら、給湯システム１の運転動作を統括的に制御している。
【００２５】
給湯器３０のコントローラ３０ａには、操作リモコン４０によって設定された給湯設定温度Ｔｅ、運転スイッチ信号、バーナー燃焼信号、熱交換器温度センサ３２からの温度検出信号、流量センサ３３からの流量検出信号が入力されるようになっており、給湯設定温度Ｔｅ、運転スイッチ信号、バーナー燃焼信号、熱交換器温度Ｔｃ及び流量センサ３３によって検出された熱交換器３１を通過する温水の流量が最低作動水量以上でＯＮする水流信号等が、コントローラ３０ａから給湯接続ユニット２０のコントローラ２０ａに送信されるようになっている。
【００２６】
給湯接続ユニット２０のコントローラ２０ａには、入湯温度センサ２６及び出湯温度センサ２７からの温度検出信号が入力されるようになっており、これらの温度検出信号とコントローラ３０ａから送信されてくる給湯設定温度Ｔｅとに基づいて、給湯接続ユニット２０のコントローラ２０ａが混合調節弁２１の開閉動作を制御するようになっている。
【００２７】
蓄熱槽１４から送出される温水の温度、即ち、入湯温度センサ２６によって検出された入湯温度Ｔｓが給湯設定温度Ｔｅ以上の場合は、給湯器３０のバーナーを燃焼させなくても、上水を適宜混合することによって給湯設定温度Ｔｅの温水を供給することができるので、給湯接続ユニット２０から送出される温水の温度、即ち、出湯温度センサ２７によって検出される出湯温度Ｔｏが給湯設定温度Ｔｅになるように、混合調節弁２１を制御する給湯設定温度制御を行うようになっている。
【００２８】
一方、入湯温度Ｔｓが給湯設定温度Ｔｅより低い場合は、給湯器３０のバーナーを燃焼させなければ、給湯設定温度Ｔｅの温水を供給することができないので、給湯器３０のバーナーを燃焼させることによって、確実に給湯設定温度Ｔｅの温水を生成することができるように、入湯温度Ｔｓが６０℃以上、６０℃未満３５℃以上、３５℃未満に場合分けし、６０℃以上の場合は４５℃、６０℃未満３５℃以上の場合は３０℃、３５℃未満の場合は２５℃の温水がそれぞれ送出されるように、混合調節弁２１の開度を調整して上水を混合する固定温度制御を行うようになっている。
【００２９】
また、給湯設定温度制御を行う場合は、給湯器３０のバーナーを燃焼させる必要がないので、操作リモコン４０の運転スイッチをＯＮして給湯を開始した時点で、給湯接続ユニット２０のコントローラ２０ａが給湯器３０のコントローラ３０ａに燃焼停止指令を出力し、固定温度制御を行う場合は、給湯器３０のバーナーを燃焼させなければならないので、操作リモコン４０の運転スイッチをＯＮして給湯を開始した時点で、給湯接続ユニット２０のコントローラ２０ａが給湯器３０のコントローラ３０ａに燃焼開始指令を出力するようになっている。
【００３０】
また、給湯接続ユニット２０のコントローラ２０ａは、固定温度制御によって給湯設定温度Ｔｅの温水を供給している状態において、給湯設定温度Ｔｅ以上の温水が蓄熱槽１４から送出され始めた場合や、給湯設定温度制御によって給湯設定温度Ｔｅの温水を供給している状態において、給湯設定温度Ｔｅより低い温水が蓄熱槽１４から送出され始めた場合には、その段階で制御を切り替えることになるが、その切替タイミングについては、図２に示すフローチャートを参照しながら以下に説明する。
【００３１】
まず、操作リモコン４０の運転スイッチがＯＮされると（ステップＳ１）、水流信号がＯＮされるまで、即ち、給湯が開始されるまで待機する（ステップＳ２）。ここで、水流信号がＯＮされると、その時点における入湯温度Ｔｓが給湯設定温度Ｔｅ以上であるか否かを判断し（ステップＳ３）、入湯温度Ｔｓが給湯設定温度Ｔｅより低い場合は、給湯接続ユニット２０のコントローラ２０ａが、給湯器３０のコントローラ３０ａに対してバーナーの燃焼開始指令を出力し（ステップＳ４）、即座に上述した固定温度制御を開始する（ステップＳ５）。従って、給湯を開始した時点における入湯温度Ｔｓが給湯設定温度Ｔｅより低い場合は、給湯器３０のバーナーが燃焼を開始すると同時に給湯接続ユニット２０から給湯設定温度Ｔｅを下回る所定温度（４５℃、３５℃または２５℃）の温水が給湯器３０に送出されることになる。
【００３２】
続いて、入湯温度Ｔｓが給湯設定温度Ｔｅ以上に上昇したか否かを判断し（ステップＳ６）、入湯温度Ｔｓが給湯設定温度Ｔｅを下回っている状態が継続している間は固定温度制御を継続し、入湯温度Ｔｓが給湯設定温度Ｔｅ以上に上昇した場合は、給湯接続ユニット２０のコントローラ２０ａが、給湯器３０のコントローラ３０ａに対してバーナーの燃焼停止指令を出力する（ステップＳ７）。
【００３３】
これによって、給湯器３０のバーナーが燃焼を停止するので、続いて、熱交換器温度Ｔｃが給湯設定温度Ｔｅ＋２０℃を下回ったか否かを判断し（ステップＳ８）、熱交換器温度Ｔｃが給湯設定温度Ｔｅ＋２０℃以上である間はそのまま固定温度制御を継続する。ここで、熱交換器温度Ｔｃが給湯設定温度Ｔｅ＋２０℃を下回ると、固定温度制御から給湯設定温度制御に切り替え（ステップＳ９）、給湯接続ユニット２０が給湯器３０に給湯設定温度Ｔｅの温水を供給し始める。従って、給湯器３０のバーナーが燃焼を停止した後、固定温度制御から給湯設定温度制御に切り替わるまでの間は、給湯設定温度Ｔｅを下回る所定温度（４５℃、３５℃または２５℃）の温水が給湯器３０に送出されることになる。
【００３４】
一方、ステップＳ３において、入湯温度Ｔｓが給湯設定温度Ｔｅ以上の場合は、給湯接続ユニット２０のコントローラ２０ａが、給湯器３０のコントローラ３０ａに対して即座にバーナーの燃焼停止指令を出力し（ステップＳ１０）、上述した給湯設定温度制御を開始する（ステップＳ１１）。従って、給湯を開始した時点における入湯温度Ｔｓが給湯設定温度Ｔｅ以上の場合は、給湯器３０のバーナーが燃焼することなく、給湯が開始されることになる。
【００３５】
続いて、入湯温度Ｔｓが給湯設定温度Ｔｅ以上に維持されているか否かを判断し（ステップＳ１２）、入湯温度Ｔｓが給湯設定温度Ｔｅ以上に維持されている間は給湯設定温度制御を継続し、入湯温度Ｔｓが給湯設定温度Ｔｅを下回った時点で、給湯接続ユニット２０のコントローラ２０ａが、給湯器３０のコントローラ３０ａに対して即座にバーナーの燃焼開始指令を出力し（ステップＳ１３）、給湯設定温度制御から固定温度制御に切り替える（ステップＳ１４）。従って、上述したように、固定温度制御から給湯設定温度制御に切り替える場合とは異なり、給湯器３０のバーナーが燃焼を開始すると同時に、給湯設定温度制御から固定温度制御に切り替わり、給湯設定温度Ｔｅを下回る所定温度（４５℃、３５℃または２５℃）の温水が給湯器３０に送出されることになる。
【００３６】
なお、ステップＳ９において、固定温度制御から給湯設定温度制御に切り替えた後はステップＳ１２に移行し、ステップＳ１４において、給湯設定温度制御から固定温度制御に切り替えた後はステップＳ６に移行することで、その後における入湯温度Ｔｓの温度変化に対して同様の動作を繰返し行うようになっている。
【００３７】
以上のように、この給湯システム１では、固定温度制御で給湯している状態から給湯設定温度制御に切り替える際は、切替可能な状態となった時点で、まず、給湯器３０のバーナーの燃焼を停止させ、給湯器３０の熱交換器温度Ｔｃが給湯設定温度Ｔｅ＋２０℃を下回るまでは固定温度制御を継続し、熱交換器温度Ｔｃが給湯設定温度Ｔｅ＋２０℃を下回った時点で給湯設定温度制御に切り替えるようにしたので、給湯器のバーナーの燃焼を停止させると同時に固定温度制御から給湯設定温度制御に切り替えていた従来の給湯システムのように、給湯器に送出される給湯設定温度Ｔｅの温水が、バーナーの燃焼が停止した直後の温度の高い熱交換器３１によってさらに加熱され、給湯温度が一時的に高くなるといったことがなく、制御の切替段階においても、略給湯設定温度Ｔｅの温水を継続して供給することが可能となる。
【００３８】
なお、この給湯システム１では、固定温度制御から給湯設定温度制御への切替タイミングを図る判定基準として、熱交換器温度Ｔｃが給湯設定温度Ｔｅ＋２０℃を下回るか否かを採用しているが、給湯設定温度Ｔｅに加算される「２０℃」という温度は、給湯設定温度制御に切り替えた時点で、給湯接続ユニット２０と給湯器３０とを接続する温水配管２３内に存在している、給湯設定温度Ｔｅを下回る所定温度（４５℃、３５℃または２５℃）の温水が熱交換器３１を通過することによって、その温水温度が概ね給湯設定温度Ｔｅまで上昇すると共に、熱交換器温度Ｔｃが概ね給湯設定温度Ｔｅまで低下することを想定して設定された温度であるので、必ずしも、「給湯設定温度Ｔｅ＋２０℃」を判定基準とする必要はなく、給湯器３０における熱交換器３１の放熱特性や温水配管２３の配管容積（配管長）等を考慮して、「２０℃」に相当する温度を適宜決定すればよい。
【００３９】
また、この給湯システム１では、上述したように、入湯温度Ｔｓが所定温度（例えば、４０℃）を下回っている状態で、固定温度制御や給湯設定温度制御を行う場合は、混合調節弁２１が全開にならないように、ステッピングモータ２１ａによる混合調節弁２１の開方向の駆動範囲が制限されるようになっているので、所定温度を下回る温水が給湯接続ユニット２０に送出される可能性が高い給湯開始時点において、混合調節弁２１が全開状態になることがなく、その後に、温度の高い温水が給湯接続ユニット２０に送出されるようになったため、混合調節弁２１が閉弁動作を行う場合に、短時間で所定開度まで閉弁することができる。
【００４０】
従って、この給湯システム１では、給湯接続ユニット２０に送出される温水の急激な温度変化にもある程度追従することができ、混合調節弁２１が閉弁動作を行っている間に温度の高い温水が必要以上に給湯接続ユニット２０に送出されにくくなるので、給湯開始時点から安定した状態で給湯設定温度Ｔｅの温水を継続して供給することができる。
【００４１】
また、所定温度以上の温水が送出されるようになると、混合調節弁２１におけるステッピングモータ２１ａによる開方向の駆動範囲の制限が解除されるようになっているので、上水を混合することなく、蓄熱槽１４から送出される温水のみを給湯器３０に送出することが可能となり、蓄熱槽１４に貯留された温水を最大限に利用して給湯を行うことができる。
【００４２】
なお、上述した実施形態では、混合調節弁２１におけるステッピングモータ２１ａによる開方向の駆動範囲を、０ステップ〜７００ステップに制限しているが、これに限定されるものではなく、その制限ステップ位置は、混合調節弁２１の流量特性や混合調節弁２１に加わる上水圧等を考慮して最適位置を選択すればよい。特に、ステッピングモータ２１ａの駆動ステップ数に対して弁開度の変動が大きい領域、即ち、ステッピングモータ２１ａの駆動ステップ数に対して流量変化の大きい領域におけるステッピングモータ２１ａの駆動が制限されないように、混合調節弁２１の開方向の駆動範囲を制限しておくことが望ましい。
【００４３】
また、上述した実施形態では、混合調節弁２１における開方向の駆動範囲を制限する入湯温度Ｔｓの一例として「４０℃」を挙げたが、これに限定されるものではなく、混合調節弁２１を駆動するステッピングモータ２１ａによる混合調節弁２１の開閉駆動速度、混合調節弁２１の流量特性、蓄熱槽１４に貯留された温水の利用効率等を総合的に勘案して設定すればよい。
【００４４】
また、上述した実施形態では、入湯温度Ｔｓが所定温度を下回る場合に、混合調節弁２１の駆動範囲を制限するようにしているが、これに限定されるものではなく、入湯温度Ｔｓに拘わらず、通常の制御状態にあるときは、常時、混合調節弁２１の駆動範囲を制限するようにしてもよい。
【００４５】
また、入湯温度Ｔｓの温度上昇をとらえて混合調節弁２１の駆動範囲の制限を解除する代わりに、給湯を開始してから所定時間が経過した時点で混合調節弁２１の駆動範囲の制限を解除するようにしてもよく、入湯温度Ｔｓ及び給湯開始からの経過時間の双方を考慮して、即ち、所定温度以上の温水が給湯接続ユニット２０に送出され始めた時点または給湯開始から所定時間が経過した時点のいずれか先の時点で、混合調節弁２１の駆動範囲の制限を解除することも可能である。
【００４６】
また、上述した実施形態では、入湯温度Ｔｓが所定温度を下回る場合に、混合調節弁２１における開方向の駆動範囲を制限するようにしているが、これに限定されるものではなく、入湯温度Ｔｓを複数の温度領域に区分けし、それぞれの温度領域毎に混合調節弁２１の開方向の駆動範囲を変更したり、給湯設定温度Ｔｅに応じて、混合調節弁２１の開方向の駆動範囲を変更することも可能である。
【図面の簡単な説明】
【図１】この発明にかかる給湯システムの一実施形態を示す概略構成図である。
【図２】同上の給湯システムにおける給湯運転動作を示すフローチャートである。
【符号の説明】
１  給湯システム
１０  太陽熱利用温水器
１４  蓄熱槽
１６  温水供給管
２０  給湯接続ユニット
２０ａ  コントローラ
２１  混合調節弁
２１ａ  ステッピングモータ
２３  温水配管
２６  入湯温度センサ
２７  出湯温度センサ
３０  給湯器
３０ａ  コントローラ
３１  熱交換器
３２  熱交換器温度センサ
３３  流量センサ
４０  操作リモコン
４０ａ  コントローラ
【図１】
0004613458.tif 000002
【図２】
0004613458.tif 000003